(57)【要約】【課題】クロスヘッドを摺動面で交互に支持することによりフレームを構成するスタンドを単一壁にし、ベースプレートへの両側溶接およびその目視検査を可能して、高品質・低コストの大型クロスヘッド・ディーゼルエンジンを提供する。【解決手段】このエンジン１は、エンジン軸３１に沿うクランクシャフト３を受けるベースプレート２、ベースプレート２上に配置したスタンド５、およびシリンダを受けるためのシリンダ部６を備え、ベースプレート２、スタンド５およびシリンダ部６は、各々スタンド５の中を、二つの横支持壁８によって形成する単一壁支持本体９の領域内を各々伸びる二つのタイロッド７によって互いに結合してあり、且つ支持本体９は、クロスヘッド１２の一つの摺動シュー１１を支持する二つの摺動面１０を含み、少なくとも二つの隣接する摺動シュー１１を、このエンジン軸３１に対して支持本体９で交互に支持する。【選択図】図４
2008309149.tif 000002
【特許請求の範囲】
【請求項１】
エンジン軸（３１）に沿って伸びるクランクシャフト（３）を受けるためのベースプレート（２）、該ベースプレート（２）上に配置した、二つの外壁（４）を含むスタンド（５）、およびシリンダを受けるためにスタンド（５）上に配置したシリンダ部（６）を備える大型クロスヘッド・ディーゼルエンジンであって、ベースプレート（２）、スタンド（５）およびシリンダ部（６）は、各々スタンド（５）の中を、二つの横支持壁（８）によって形成される単一壁支持本体（９）の領域内を各々伸びる二つのタイロッド（７）によって互いに結合してあり、および前記支持本体（９）は、クロスヘッド（１２）の一つの摺動シュー（１１）を支持するための二つの摺動面（１０）を含むエンジンに於いて、少なくとも二つの隣接する摺動シュー（１１）を、エンジン軸（３１）に対して前記支持本体（９）で交互に支持することを特徴とするエンジン。
【請求項２】
請求項１に記載の大型クロスヘッド・ディーゼルエンジンに於いて、前記タイロッド（７）を前記横支持壁（８）を通して案内するエンジン。
【請求項３】
請求項１または請求項２に記載の大型クロスヘッド・ディーゼルエンジンに於いて、前記タイロッド（７）を前記横支持壁（８）と並べて案内しおよび好ましくは少なくとも二つのタイロッド（７）が各横支持壁（８）に設けてあるエンジン。
【請求項４】
請求項１ないし請求項３の何れか一項に記載の大型クロスヘッド・ディーゼルエンジンに於いて、同一クロスヘッド（１２）の二つの摺動シュー（１１）を前記エンジン軸（３１）に対して前記支持本体（９）で交互に支持するエンジン。
【請求項５】
請求項１ないし請求項４の何れか一項に記載の大型クロスヘッド・ディーゼルエンジンに於いて、摺動シュー（１１）を案内するために、案内要素（１４）が中央壁（１３）におよび／または前記支持本体（９）の前記摺動面（１０）に設けてあるエンジン。
【請求項６】
請求項１ないし請求項５の何れか一項に記載の大型クロスヘッド・ディーゼルエンジンに於いて、前記案内要素（１４）が横案内爪（１４１）の形に作ってあるエンジン。
【請求項７】
請求項１ないし請求項６の何れか一項に記載の大型クロスヘッド・ディーゼルエンジンに於いて、前記案内要素（１４）が横案内レール（１４２）の形に作ってあるエンジン。
【請求項８】
請求項１ないし請求項７の何れか一項に記載の大型クロスヘッド・ディーゼルエンジンに於いて、前記ベースプレート（２）は、前記クランクシャフト（３）を受けるために少なくとも一つの軸受サドル（１５）を有し、および前記タイロッド（７）が前記クランクシャフト（３）の軸（３１）と前記スタンド（５）の間の領域で前記軸受サドル（１５）内またはそれに固定してあるエンジン。
【請求項９】
請求項１ないし請求項８の何れか一項に記載の大型クロスヘッド・ディーゼルエンジンに於いて、前記タイロッド（７）がねじ孔で前記軸受サドル（１５）に固定してありおよび／または前記タイロッド（７）が前記軸受サドル（１５）内の孔を貫通し且つねじ結合によって固定してあるエンジン。
【請求項１０】
請求項１ないし請求項９の何れか一項に記載の大型クロスヘッド・ディーゼルエンジンに於いて、前記タイロッド（７）が前記クランクシャフト（３）の長手軸（３１）と前記スタンド（５）の間の領域における窪み（１６）内で、該窪み（１６）から取出せる保持要素（１７）によって前記軸受サドル（１５）に固定してあるエンジン。
【発明の詳細な説明】
【技術分野】
【０００１】
この発明は、独立請求項１の前文による大型クロスヘッド・ディーゼルエンジンに関する。
【背景技術】
【０００２】
造船でまたは、例えば、電気エネルギーを発生するための、定置設備で好んで使われるような、クロスヘッド構成の大型ディーゼルエンジンには、このエンジンのフレームを形成する三つの大きなハウジング部分がある。所謂スタンドが、底板によって分離して、ベースプレート上に配置してあり、そのベースプレートは、クランクシャフトを受けるためのクランクシャフト主軸受を備える軸受サドルの他に横支持要素を有する。このスタンドは、プッシュロッドを介してこのクランクシャフトに結合した二つの隣接するクロスヘッドを案内するために各々垂直様式で伸びる二つの摺動面を有する、この大型ディーゼルエンジンのシリンダの数に従って複数の支持本体を含む。これに関して、対向して配置し且つ垂直様式で伸びる二つの摺動面は、それぞれ更に中央壁によって支持してある。
【０００３】
これら個々の支持本体は、一般に共通の金属カバーシートによって互いに結合してある。そこで、屡々シリンダジャケットとも呼ばれるシリンダ部がこのスタンドの上に配置してあり、複数のシリンダライナを受けるのに適している。これに関して、このベースプレート、スタンドおよびシリンダ部は、一般的にタイロッドがかなりの予張力を受けてこのベースプレート内またはそれにねじ止めしてあるので、これらの支持本体内のスタンドの領域を延びるこれらのタイロッドによって互いに結合してある。
【０００４】
往復動エンジンのクロスヘッド摺動トラック用支持体を有するスタンドは、DE3 515 347 C1から知られ、そこではこの支持体が二重壁に設計してある。このスタンドは、上にシリンダライナを受けるためにシリンダジャケットを置き、ベースプレート上の金属底シート上に配置してあり、これらの金属底シートは、斜めに伸びる外壁および垂直な摺動面と共に、断面が台形であり且つ共通の金属カバーシートによって互いに結合してある二つのフレームを形成する。これらの台形のフレームは、二重壁で作った支持本体が支持体になるように、これらの外壁と摺動面の間を横支持壁によって埋めてある。このベースプレートには、軸受カバーを備える下および上軸受シェルがあり、およびこのベースプレートの軸受サドルにあるクランクシャフトは、上記軸受シェルで支承されている。このエンジンのシリンダジャケット、スタンドおよびベースプレートは、この軸受サドルにまたはその中にあるクランクシャフトの下に予張力を掛けて固定してあるタイロッドによって一緒に保持される。
【０００５】
関連する概念は、EP 0 774 061 B1で追求されている。ここで取扱う支持本体は、中でタイロッドが案内され且つ矩形断面ではなく三角形断面であり、それで同様に二重壁と呼ぶべきである。
【０００６】
そのような既知の大型クロスヘッド・ディーゼルエンジンでは、二重壁に作ってあるスタンドの支持本体を、ベースプレートに同様に二重壁に作った支持要素上で支持する。これは、スタンドとベースプレートの両方を横支持壁によって二重壁に作ることを意味する。
【発明の開示】
【発明が解決しようとする課題】
【０００７】
この先行技術から知られている大型クロスヘッド・ディーゼルエンジンの設計は、この関係でいくつかの重大な欠点がある。これらの支持要素は、ベースプレートに溶接継目によって固定する。これらの支持要素および支持本体を二つの対向して配置した壁によって二重壁に作るとき、二重壁支持要素、即ち、断面方向が閉じた支持要素、または閉じた支持本体を形成する二つの壁間の溶接継目を逆側に溶接できず、それで必要な品質を達成するために対応する問題が生じる。
【０００８】
更に、これらのタイロッドがサドルの下端に、即ち、クランクシャフトの下に固定してあり、それでこれらのタイロッドをこの軸受サドルの中の孔を通し、所謂タイロッド管を通して、この軸受サドルの下方領域まで且つその中へ案内しなければならない。これらのタイロッドは、かなりの予張力を受けて軸受サドルの下に固定しなければならないので、これは、この軸受サドルにかなりの張力およびこの軸受シェルの変形を生じる。それで、既知のベースプレートは、純粋に構造上の観点からは、比較的剛直でありおよび比較的複雑および／または高価である。
【０００９】
従って、このスタンドの前述の問題を避けるために、EP 1 382 829でベースプレートが単一壁設計で、スタンドが二重壁の大型クロスヘッド・ディーゼルエンジンが提案された。この関係で、このベースプレート、スタンドおよびシリンダ部は、タイロッドによって互いに結合され、このタイロッドはこの二重壁支持本体内をこのスタンドの領域を伸び且つこのベースプレートの軸受サドルに固定されている。
【００１０】
この安定性およびスタンドの設計および、このベースプレートと残りのスタンド構成の協同に関して、EP 1 382 829による解決策は、その当時知られている先行技術と比較すれば明らかに非常に大きい改善を生じた。しかし、これらのタイロッドもEP 1 382 829から知られるスタンドを備えるベースプレートの上を閉じた支持本体内を案内される。その様な支持本体は、このスタンドの必要な安定性を明らかに保証するが、溶接が困難であり、および特にこれらの溶接継目をこの支持本体の内部で逆側に溶接できない。これに関連する更なる難点は、この支持本体を一緒に溶接した後に、この支持本体内の溶接継目を直接見て検査できないことである。従って、品質保証のために、これらの溶接継目を、非常に時間が掛り、高価でその上複雑なまたは非常に小さな損傷の場合に必ずしも十分に信頼性もない、超音波によるような、複雑および／または高価な方法で外部から検査する。
【００１１】
これらの問題は長い間知られていて、従って単一壁の支持本体も既に議論され、それらは縦方向に沿って何も閉管を形成しないので、基本的にこの逆側に容易に溶接できる。しかし、その様な概念は、少なくとも作動状態で巨大な機械的負荷に曝される近代の大型ディーゼルエンジンに対しては、簡単な考察または計算でさえ、そのような単一壁の支持本体は近代の大型ディーゼルエンジンの負荷に近似的にでさえ耐えられないことを示すので、全て拒絶しなければならない。
【００１２】
先行技術から出発して、本発明の目的は、このベースプレートおよびスタンドの設計から知られる欠点を避ける、改良した大型クロスヘッド・ディーゼルエンジンを提案することである。
【課題を解決するための手段】
【００１３】
これらの目的を満足するこの発明の主題は、独立請求項１の構成に特徴がある。
従属請求項は、本発明の特に有利な実施例に関する。
この発明に従って、エンジン軸に沿って伸びるクランクシャフトを受けるためのベースプレート、このベースプレート上に配置した、二つの外壁を含むスタンド、およびシリンダを受けるためにこのスタンド上に配置したシリンダ部を備える大型クロスヘッド・ディーゼルエンジンを提案する。これに関して、このベースプレート、スタンドおよびシリンダ部は、各々このスタンドの中を、二つの横支持壁によって形成される単一壁支持本体の領域内を伸びる二つのタイロッドによって互いに結合してある。これに関して、この支持本体は、それぞれの場合クロスヘッドの一つの摺動シューを支持するための二つの摺動面を含む。この発明によれば、二つの隣接する摺動シューを、このエンジン軸に対してこの支持本体で交互に支持する。
【００１４】
この様に、本発明によって、単一壁支持本体、即ち、単一壁スタンドを有する大型クロスヘッド・ディーゼルエンジンを提案する。これに関して、本発明による大型クロスヘッド・ディーゼルエンジンのベースプレート、スタンドおよびシリンダ部は、タイロッドによって互いに結合してあり、このタイロッドは、先行技術から知られるように、スタンドの領域で二重壁構造体の中を伸びるのではなく、スタンドの単一壁支持本体の領域を伸びる。これは、このタイロッドが単一壁支持本体と並んで伸びるか、またはこの単一壁支持本体を通る適当な貫通孔で案内されることを意味する。
【００１５】
以前に知られている構成では、スタンドへの剪断力を、クロスヘッドの上方または下方運動に依ってポンプおよび排気ガス側で摺動トラック上に出す。スタンドへのこの種の力伝達では、単一壁設計のスタンド、即ち、支持本体は、剪断力および縦力に加えて捻りトルクおよび回転トルクも含む、クロスヘッドの上方および下方運動に関する力を十分吸収または補償できないので、単一壁支持本体を使うことは一般的に不可能である。
【００１６】
この様にスタンドまたは支持本体の二重壁による具体化は、安定性の理由で既に唯一絶対的に必要であった。
【００１７】
この問題は、クロスヘッドの摺動シューが、上方および下方の両方に動くと、力、特に剪断力をポンプ側かまたは、しかし、例えば、隣接するクロスヘッドでは、排気側へ出すので、本発明によって改善する。これを、この出願の枠組内では“交互”という用語によって表す。これに関して、特別な例では、この力も当然シリンダ内のポンプ側と排気ガス側へ交互に伝えることができ、実行するために非常に重要な実施例では、この力の伝達が一つのシリンダから次へと交互に起る。
【００１８】
本発明による解決策の利点は明らかである：交互に起る力の伝達が、交互に起らない力の伝達では一般的に不可能な、多数の新しいスタンド断面構成を可能にする。この関係で、溶接継目をあらゆる側から自由にアクセスできるように、単一壁のスタンド構成を使えることは特に重要である。
【００１９】
本発明によるこの交互に起る力の伝達を基本的に問題なく既知の二重壁スタンドにも使え、それは非常に特別な場合に安定性およびスタンド設計に関して特別な利点を持つことができるが、二重壁支持本体を使うとき、溶接継目の自由なアクセス可能性という重要な利点が当然失われることは言うまでもない。
【００２０】
既に述べたように、本発明の特別な実施例では、タイロッドを適当な貫通孔で横支持壁を通して案内する。
【００２１】
これに関して、これらの特別な実施例は実行するために非常に重要であり、それは、タイロッドを横支持壁に並べて案内し、好ましくは少なくとも二つのタイロッドが各横支持壁に設けてある。これに関して、特別なシリンダと共に、横支持壁を二つのタイロッドの間に、または三つ以上のタイロッドの間にも配置するのが特に好ましい。
【００２２】
この出願の枠組内では、“横”位置を、この関係でクランクシャフトの軸、即ち、この大型ディーゼルエンジンのエンジン軸が伸びる方向と実質的に垂直な向きと同じくらい普通であると理解すべきである。
【００２３】
支持本体でスタンドまたは摺動トラック上に交互に起る力伝達は、これに関連して種々の方法で実現できる。例えば、同一クロスヘッドの二つの摺動シューをエンジン軸に対して支持本体で交互に支持することができる。次に、隣接するシリンダのクロスヘッドを、例えば、このスタンドで対応する摺動トラックを介して反対に配置した側で支持する。
【００２４】
非常に特殊な場合には、例えば、二つ以上の直接隣接するクロスヘッドをスタンドの同一側で支持し、他のグループの直接隣接するクロスヘッドをこのスタンドと他の側でエンジン軸に対して交互に起るように支持することさえ可能である。
【００２５】
更なる実施例では、摺動シューの案内の安定性をそれが摺動トラックに沿って前後に動く内に確実に可能にするように摺動シューを案内するために、案内要素を中央壁におよび／または支持本体の摺動面に設ける。
これに関して、この案内要素を、例えば、要求次第で横案内爪の形に作ることもできる。
【００２６】
別の例では、この案内要素を横案内レールの形に作ることができる。
【００２７】
このベースプレートは、この関係で一つ以上の側面を設けることができ、且つそれ自体周知の方法でこのクランクシャフトを受けるために少なくとも一つの軸受サドルを含み、このタイロッドは、このクランクシャフトの軸、即ち、エンジン軸、とスタンドの間の領域でこの軸受サドル内またはそれに固定してある。
【００２８】
このタイロッドは、ねじ部でおよび／またはねじ孔で軸受サドルに固定してあるのが好ましくおよび／またはこのタイロッドが軸受サドル内の孔を貫通し且つねじ結合によってそこに固定してある。
【００２９】
このタイロッドは、既に、例えば、ヨーロッパ特許出願EP 06 125603.8で提案してあるように、巨大な機械的負荷の下でこの大型ディーゼルエンジン全体の安定性および柔軟性を同時に増すために、特にこのクランクシャフトの長手軸とスタンドの間の領域で窪み内で、この窪みから取出せる保持要素によってこの軸受サドルに固定することができる。
【００３０】
本発明を以下に図面を参照して更に詳しく説明する。図面は、概略図で示してある。
【実施例】
【００３１】
以下で全体を参照数字１で指す、本発明による大型クロスヘッド・ディーゼルエンジンは、特に、造船で広く使われているようなユニフロー掃気の２サイクル大型ディーゼルエンジン１として構成してある。
【００３２】
図１は、ベースプレート２、スタンド５およびシリンダ部６を備える既知設計の大型クロスヘッド・ディーゼルエンジン１を概略的に断面で示す。このシリンダ部６は、それ自体既知の方法で、図示しないシリンダを受けるために役立つ。例えば、鋼板を互いに溶接して作った、スタンド５は、二つの外壁４は勿論、底金属シート１８を有し、およびこの表現によれば垂直に伸びる摺動面１０と共に、断面が台形で共通金属カバーシートによって互いに結合された二つのフレームを形成する。垂直式に伸びる、これら二つの対向して配置した摺動面１０は、二つの台形フレームの間に配置した中央壁１３によって支持する。スタンド５には、クランクシャフト３を支承するための軸受シェル１５１を備える軸受サドル１５を含むベースプレート２上の底金属シート１８が配備してある。エンジン軸３１と一致するクランクシャフト軸３１を有するクランクシャフト３は、それ自体既知の方法で、図１には示さないプッシュロッド１９を介してクロスヘッド１２に結合してある。
【００３３】
図２ａおよび図２ｂは、各々図１に従い線Ｉ−Ｉに沿ったまたは線II−IIに沿った、先行技術から知られている大型ディーゼルエンジンの断面図を示し、本発明をより良く理解するためにそれを以下に簡単に説明する。
【００３４】
これに関して、この先行技術を本発明と区別するために、図２ａおよび図２ｂでは先行技術を表すために参照数字にプライム符号を付け、一方本発明に関係する残りの図では参照数字にプライム符号を付けない。
【００３５】
図１の線Ｉ−Ｉにより、図２ａに示す、先行技術から知られる大型クロスヘッド・ディーゼルエンジン１’を通る断面は、スタンド５’の上に置いたシリンダ部６’は勿論、ベースプレート２’上に配置したスタンド５’を示す。金属カバーシートがこのスタンド５’とシリンダ部６’の間に配置してあり、および底金属シート１８’がスタンド５’とベースプレート２’の間に配置してある。このシリンダ部６’は、既知の方法で一つ以上の図示しないシリンダを受けるのに適する。このシリンダの内側スペースは、既知の方法で、図示しないシリンダヘッド、および同様に図示せず、ピストン棒２０’によってクロスヘッド１２’に結合され且つこのシリンダ内を前後に移動可能に構成したピストンと共に、この大型クロスヘッド・ディーゼルエンジン１’の燃焼室を形成する。このスタンド５’は、横支持壁８’によって二重壁で形成した支持本体９’を含む。これらの支持壁８’は、プッシュロッド１９’によってクランクシャフト３’におよびこの大型クロスヘッド・ディーゼルエンジン１’の、図示しない、ピストンを有するピストン棒２０’に連結してあるクロスヘッド１２’を案内するための摺動面１０’を担持する。
【００３６】
ベースプレート２’は、この例では単一壁に作ってあるが、それ自体知られているように、当然二重壁にも作れる横支持要素２１’は勿論、クランクシャフト３’を受け且つ支承するための軸受サドル１５’を含む。このシリンダ部６’スタンド５’およびベースプレート２’は、タイロッド７’によって予張力を受けて互いに結合してある。この関係で、タイロッド７’は、スタンド５’の領域をこの二重壁支持本体９’内の横支持壁８’の間を伸び且つクランクシャフト３’の軸３１’とスタンド５’の間の領域で、即ち、この表現によれば、ねじ孔２２’の中のクランクシャフト３’の軸３１’の上で、ベースプレート２’の軸受サドル１５’に固定してある。
【００３７】
図２に示す例では、支持本体９’の横支持壁８’がシリンダ部６’の方向にＶ字形に伸びる、即ち、支持本体９’の支持壁８’の相互間隔がシリンダ部６’に向う方向に次第に拡大する。クロスヘッド１２’が摺動面１０’を介して支持壁８’に、従って支持本体９’に伝える法線力は、周知のように、このピストンの往復運動の上死点で最大である。支持本体９’がこのＶ字形設計であるために、それは、この表現によれば、この上端にあるタンド５’の領域で比較的広く、従ってクロスヘッド１２’のこの法線力を特によく吸収でき、またはそれらを離してスタンド５’に導くことができる。
【００３８】
長手軸Ｚ’のあるタイロッド７’は、支持本体９’の横支持壁８’の間の中央に配置してあり、上にベースプレート２’で支持本体９’を支持するベースプレート２’の単一壁支持要素２１’がこのタイロッド７’の長手軸Ｚ’と同一平面に配置してある。このタイロッド７’は、特に軸受シェルの変形を避けるために、クランクシャフト３’の軸３１’とスタンド５’の間の領域、即ち、この表現によれば、ねじ孔の中の軸受サドルでクランクシャフト３’の軸３１’の上に固定してある。ベースプレート２’の中の単一壁支持要素２１’がタイロッド７’の長手軸Ｚ’と同一平面に、従って支持本体９’の支持壁８’に対して対称に配置してあるので、ベースプレート２’の剛性が高過ぎなくても特に高い安定性が得られる。
【００３９】
図２ｂは、先行技術から知られる図２ａのエンジンについて図１の線II−IIに沿った更なる断面を示す。二つのそれぞれの支持本体９’を示し、それらは、スタンド５’に対向して配置され且つ摺動面１０’の間で中央壁１３’によって相互に支持されている。クロスヘッド１２’は、二つのそれぞれの対向して配置された摺動面１０’の間を二つのそれぞれの隣接する支持本体９’によって案内される。タイロッド７’が各支持本体９’の中を支持壁８’の間を伸びる。
【００４０】
この文脈で図２ａおよび図２ｂの大型クロスヘッド・ディーゼルエンジンのベースプレートは、このベースプレートに単一壁で作った横支持要素を有し、それは、二重壁支持要素を備える先行技術から知られるベースプレートで普通であったような片側溶接継目の問題を避けるように、このエンジンの組立に関して問題なく逆側に溶接できる。これらのタイロッドは、短いタイロッドとして作ってあり且つこのサドルの上部領域で、即ち、ねじ孔の中でこのクランクシャフトの軸とこのスタンドの底金属シートの間で固定してあるのが好ましい。この軸受サドルの張力およびかなりの予張力を受けてこの軸受サドルに固定したタイロッドによるこの軸受シェルの変形をそれによって大幅に避ける。図２ａおよび図２ｂの大型クロスヘッド・ディーゼルエンジンのベースプレートの剛性は、特にこれらの短いタイロッドおよび単一壁で作った支持要素によって最適化する。これらのタイロッドをかなりの予張力の下でベースプレートに固定しなければならないので、スタンドの二重壁支持本体とベースプレートの単一壁支持要素の組合わせは、避けられない曲げ負荷、およびこれから生じる材料の道理に合わない機械的応力がこのスタンドの下部領域と底金属シートおよび軸受サドルの領域の両方に心配されるので、通常考慮に入れなかった。EP 1 382 829で初めて提案されたような、タイロッドの領域でのベースプレートのこの種の設計によって、曲げ負荷のために以前に恐れられたのとその様な構成で予期されるベースプレートの領域でのフレッチングの両方の問題を満足に避けられた。このベースプレートを特に構成面でかなり単純化した。
【００４１】
しかし、既に述べたように、図２ａおよび図２ｂに示す既知の解決策は、まだ、クロスヘッドを摺動面で交互に支持してないので、二重壁で作った支持本体またはスタンドを使わねばならないという欠点がある。
この欠陥を本発明によって初めて改善する。
【００４２】
（実施例１）
交互に支持するクロスヘッド１２がある、本発明による大型ディーゼルエンジン１の第１実施例を図３に概略的に示す。
【００４３】
図１の線II−IIに沿った断面が見られる。通常エンジン軸３１に沿って互いに並べて配置した全部で二つを超えるシリンダ、例えば、６、１２、１４またはそれ以上のシリンダを有する、本発明による大型ディーゼルエンジン１の二つの直接隣接するクロスヘッドを二つのそれぞれ直接隣接する支持本体９で摺動シュー１１によって摺動面１０で前後に動くように案内する。これらの支持本体９は、これに関して、エンジン軸３１に対して対向して配置し且つ各々摺動面１０を担持する、二つのそれぞれの横支持壁８を含む。これらの摺動面１０は、スタンド５の安定性を増すためにそれ自体周知の方法で中央壁１３によって互いに連結してある。図３の特別な実施例では、タイロッド７を支持壁８の中の貫通孔で案内する。
【００４４】
本発明によれば、二つの隣接する摺動シュー１１をエンジン軸３１に対して支持本体９で交互に支持する。図３の実施例では、同一のクロスヘッド１２の二つの摺動シュー１１を同一の摺動面１０で支持するのに対して、隣接するクロスヘッド１２の二つの摺動シュー１１は、エンジン軸３１に対して対応する支持面１０で反対側で支持する。摺動シュー１１を摺動面１０でより良く案内するために、即ち、より安定に案内するために、案内要素１４が摺動面１０に設けてあり、それは、摺動シュー１１、従ってクロスヘッド１２がエンジン軸３１に関して垂直方向に動くとき、それを安定化する。
【００４５】
各クロスヘッド１２は、それぞれの場合エンジン軸３１に対して支持本体９でスタンド５の支持本体９で片側でしか支持されないが、二つの隣接する摺動シュー１１をエンジン軸３１に対して支持本体９で交互に支持するので、このスタンド５への剪断力の開始は、エンジン１全体に亘って見てきわめて均一である。従って、この大型ディーゼルエンジン１の動作状態でスタンド５の安定性に悪影響することなく、支持壁８を単一壁で作ることが可能になる。
【００４６】
（実施例２）
交互に支持するクロスヘッドおよび案内要素に関する第２実施例を図４に概略的に示す。図４の実施例は、図３のそれと、同一のクロスヘッド１２に関して二つの摺動シュー１１を支持本体９で交互に支持することだけ異なる。これは、各クロスヘッド１２を支持本体９でエンジン軸３１の両側で支持するが、先行技術とは違って、交互に且つエンジン軸３１の各側で唯一の単一シュー１１によって支持することを意味する。
【００４７】
（実施例３）
図５の第３実施例では、クロスヘッド１２を図３の実施例のように支持本体で支持する。これは、同一クロスヘッド１２の二つの摺動シュー１１を同一摺動面１０で支持するのに対して、隣接するクロスヘッド１２の二つの摺動シュー１１は、エンジン軸３１に関して対応する支持面１０で対向して配置した側で支持することを意味する。摺動シュー１１を摺動面１０でより良く案内するために、即ち、より安定に案内するために、案内要素１４がここでも摺動面１０に設けてあり、それは、摺動シュー１１、従ってクロスヘッド１２がエンジン軸３１に関して垂直方向に動くとき、それを安定化する。
【００４８】
図３の実施例との違いは、支持壁８をエンジン軸３１の両側で二つのタイロッド７の間を案内するという事実にある。これは、タイロッド７を支持壁８内の貫通孔で案内するのではなく、それぞれの場合に支持壁８と並べて配置することを意味する。支持壁８と並べて、二つ以上のそれぞれのタイロッド７も設けることができ、および二つ以上のタイロッド７も図３の例の各支持壁８を貫通できることは言うまでもない。
【００４９】
（実施例４）
図６は、横案内爪１４、１４１が中央壁１３の領域でタイロッド７間でこの中央壁１３に配置してある、この発明による更なる実施例を示す。それで摺動面１０がこの案内爪１４１に作ってある。クロスヘッド１２の摺動シュー１１は、それらがこの案内爪１４１内を前後に動くと、両側で確実且つ交互に案内される。
【００５０】
（実施例５）
中央壁１３の領域に横案内レール１４、１４２がある、図７の更なる実施例は、図６の実施例と、今度は摺動シュー１１が案内レール１４、１４２を囲む摺動シュー爪１１として作ってあり、それでクロスヘッド１２が動作状態で動くとその確実な案内を保証する点で異なる。
【００５１】
（実施例６）
図８は、図６による一実施例を示し、タイロッドがここでは横支持壁８の貫通孔の中央を案内され、横爪１４、１４１が支持壁８から中央壁１３への遷移領域に支持本体９に作ってあり、および摺動シュー１１を上記横爪でエンジン軸３１に対して支持本体９で交互に支持する。
【００５２】
（実施例７）
図９は、本発明による大型ディーゼルエンジン１用のタイロッド７をベースプレート２に窪み１６の中の取外し可能保持要素１７で締結するための好適実施例を示し、ベースプレート２へのタイロッド７のこの種の締結は、ヨーロッパ特許出願EP 06 125603.8からそれ自体既に知られている。
【００５３】
本発明による大型クロスヘッド・ディーゼルエンジン１の図９の実施例では、長手軸３１を有するクランクシャフト３をそれ自体周知の方法で軸受サドル１５で支承し、軸受カバー１５１によって保護する。タイロッド７をこの発明に従って軸受サドル１５にまたは底板２に長手軸３１とクランクシャフト３の間の領域、即ちこの表現によれば長手軸３１の上に、窪み１６の中にこの窪み１６から取外し可能な保持要素１７によって固定する。図９に示す実施例では、設置状態のタイロッド７が窪み１６の領域にねじ山を有し、それでこのタイロッド７を保持要素１７にしっかりねじ止でき、その要素はここではタイロッド・ナット１７である。これに関して、タイロッド７は、先行技術から知られているように、軸受サドル１５またはベースプレート２に直接ねじ止せず、それどころか、図９では見えない、孔をただ単に自由に貫通して軸受サドル１５を窪み１６の中まで通り、そこでこのタイロッド７を固定するためにタイロッド・ナット１７にねじ止できる。
【００５４】
本発明は説明した実施例に限定されず、特に説明した特別の例の全ての適当な組合わせも本発明が包含することは言うまでもない。
【図面の簡単な説明】
【００５５】
【図１】ベースプレート、スタンドおよびシリンダ部を備える、本発明による大型クロスヘッド・ディーゼルエンジンの断面図。
【図２ａ】二重壁支持本体および単一壁で作った支持構成要素を備える既知のエンジンの図１におけるＩ−Ｉに沿った断面図。
【図２ｂ】各々の場合に二つの隣接するクロスヘッドの間に二つの二重壁支持本体を備える既知のエンジンの図１におけるII−IIに沿った断面図。
【図３】交互に支持するクロスヘッドを備える本発明による第１実施例を示す。
【図４】交互に支持するクロスヘッドおよび案内要素を備える第２実施例を示す。
【図５】二つのタイロッドの間を案内される支持壁を備える第３実施例を示す。
【図６】中央壁の領域に横案内爪を備える実施例を示す。
【図７】中央壁の領域に横案内レールを備える実施例を示す。
【図８】中央を案内されるタイロッドを備える図６における実施例を示す。
【図９】タイロッドを固定するために取外し可能保持要素を備える本発明による実施例を示す。
【図１】
2008309149.tif 000003
【図２ａ】
2008309149.tif 000004
【図２ｂ】
2008309149.tif 000005
【図３】
2008309149.tif 000006
【図４】
2008309149.tif 000007
【図５】
2008309149.tif 000008
【図６】
2008309149.tif 000009
【図７】
2008309149.tif 000010
【図８】
2008309149.tif 000011
【図９】
2008309149.tif 000012